(57)【要約】  ホ発明は、複数の横ビーム（３）と複数の縦ビーム（４）とを備えたベースフレーム（２）であって、前記縦ビーム（４）がそれぞれ縦溝を備えたプロファイル要素（９）を有している前記ベースフレーム（２）と前記ベースフレーム（２）を前記横ビーム（３）に平行に緊張させ、回動軸線のまわりで回動可能に支持されている少なくとも１つのフラップ（５，６）と、第１の端部領域でもって前記縦ビームの前記プロファイル要素（９）の前記縦溝内で変位可能に支持され、且つ第２の端部領域でもって前記フラップ（５，６）と結合されている少なくとも１つの支持アーム（７，８）と、前記フラップ（５，６）によって閉鎖可能でない領域において前記ベースフレーム（２）を緊張させている少なくとも１つの位置固定のブラインド要素（１１，１２，１３）とを有するルームディバイダ（１，１０１）に関する。
2015522112.tif 000002
【特許請求の範囲】
【請求項１】
複数の横ビーム（３）と複数の縦ビーム（４）とを備えたベースフレーム（２）であって、前記縦ビーム（４）がそれぞれ縦溝を備えたプロファイル要素（９）を有している前記ベースフレーム（２）と、
前記ベースフレーム（２）を前記横ビーム（３）に平行に緊張させ、回動軸線のまわりで回動可能に支持されている少なくとも１つのフラップ（５，６）と、
第１の端部領域でもって前記縦ビームの前記プロファイル要素（９）の前記縦溝内で変位可能に支持され、且つ第２の端部領域でもって前記フラップ（５，６）と結合されている少なくとも１つの支持アーム（７，８）と、
前記フラップ（５，６）によって閉鎖可能でない領域において前記ベースフレーム（２）を緊張させている少なくとも１つの位置固定のブラインド要素（１１，１２，１３）と、
を有するルームディバイダ。
【請求項２】
さらに、前記ルームディバイダ（１，１０１）を移動させるためのころ（１４）を有している、請求項１に記載のルームディバイダ。
【請求項３】
さらに照明要素（１５）を有し、特に前記ベースフレーム（２）を前記横ビーム（３）に平行に緊張させている照明要素（１５）を有している、請求項１または２に記載のルームディバイダ。
【請求項４】
前記フラップ（６）がオフィス作業面として形成されている、請求項１から３までのいずれか一つに記載のルームディバイダ。
【請求項５】
さらに、前記横ビーム（３）に対し横方向に、且つ前記ベースフレーム（２）によって画成されている空間容積部の内部に配置されるボード要素を有し、特にマグネットボードまたはピンボードを有している、請求項１から４までのいずれか一つに記載のルームディバイダ。
【請求項６】
さらに、前記横ビーム（３）に対し横方向に、且つ前記ベースフレーム（２）によって画成されている空間容積部の内部に配置される棚区画（１６）を有している、請求項１から５までのいずれか一つに記載のルームディバイダ。
【請求項７】
さらに、電気導線および／または通信技術導線に対して結合させるための複数の結合装置を備えた接続コンソール（１８）を有している、請求項１から６までのいずれか一つに記載のルームディバイダ。
【請求項８】
さらに、組み込み型の延長ケーブルを有している、請求項１から７までのいずれか一つに記載のルームディバイダ。
【請求項９】
前記ルームディバイダ（１０１）が、背面側に、前記フラップ（５，６）に対し合同に同じ大きさで形成されている少なくとも１つの背面フラップ（５，６）と、第１の端部領域でもって前記縦ビーム（４）の背面縦溝内に変位可能に支持され、第２の端部領域でもって前記背面フラップ（５，６）と結合されている少なくとも１つの背面支持アーム（７，８）とを有している、請求項１から８までのいずれか一つに記載のルームディバイダ。
【請求項１０】
前記ルームディバイダ（１０１）が、前面に２つのフラップ（５，６）を有し、背面にそれぞれ、前記フラップ（５，６）の１つに対し合同に同じ大きさで形成されている２つの背面フラップ（５，６）を有している、請求項９に記載のルームディバイダ。
【請求項１１】
前記ルームディバイダ（１，１０１）を互い違いに設置可能である、請求項１から１０までのいずれか一つに記載のルームディバイダ。
【発明の詳細な説明】
【技術分野】
【０００１】
本発明は、ルームディバイダに関するものである。
【背景技術】
【０００２】
ルームディバイダは、大きな空間を個別に自由に分割するために用いられる。たとえばルームディバイダはオフィスで、特に大部屋式のオフィスで、それぞれのオフィス仕事スペースを互いに仕切るために使用される。このようにして視界および騒音からの保護および／または環境の同じような影響（たとえば光の影響、空気の流れ）の遮蔽を行なうことができる。
【発明の概要】
【発明が解決しようとする課題】
【０００３】
本発明の課題は、種々様々に使用可能な多機能ルームディバイダを提供することである。
【課題を解決するための手段】
【０００４】
この課題は、請求項１の構成を備えたルームディバイダによって解決される。有利な実施態様は従属項に記載されている。
【０００５】
本発明によるルームディバイダは、複数の横ビームと複数の縦ビームとを備えたベースフレームと、少なくとも１つのフラップと、少なくとも１つの支持アームと、少なくとも１つの位置固定のブラインド要素とを有している。縦ビームはそれぞれ縦溝を備えたプロファイル要素を有している。フラップは、ベースフレームを横ビームに平行に緊張させ、回動軸線のまわりで回動可能に支持されている。支持アームは、第１の端部領域でもって縦ビームのプロファイル要素の縦溝内で変位可能に支持され、且つ第２の端部領域でもってフラップと結合されている。位置固定のブラインド要素は、フラップによって閉鎖可能でない領域においてベースフレームを緊張させている。
【０００６】
回動可能なフラップにより、ルームディバイダの一部領域を開くことができ、このようにして、ルームディバイダの内部に配置されている他の構成要素に接近することができる。これによりルームディバイダの機能性が向上する。支持アームは、フラップを安定に支持する用を成し、フラップを開いた位置と閉じた位置との間で簡単に回動させることを可能にする。
【０００７】
有利な実施態様では、ルームディバイダはさらに移動用のころを有している。これによってルームディバイダの可動性が向上し、迅速且つ簡単に種々の使用場所へ移動させることができる。
【０００８】
更なる有利な実施態様では、ルームディバイダは照明要素を有している。特に有利な態様では、照明要素はベースフレームを横ビームに平行に緊張させるように配置されている。さらに照明要素がフラップの上方に装着されていれば、フラップの特に有利な照明が行なわれ、使いやすさおよび作業快適性を向上させる。
【０００９】
有利な実施態様では、フラップはオフィス作業面として形成されている。これにより、ルームディバイダは付加的に適正なオフィス作業スペースの機能を得る。これによってルームディスクの多機能性がさらに向上する。フラップが開いていれば、フラップをたとえば物書きトレイまたはコンピュータテーブルとして用いることができる。作業板を使用しないときは、フラップを閉じることができ、ルームディバイダを省スペースに保管することができる。
【００１０】
複数のフラップが設けられていれば、１つのフラップをオフィス作業面として形成されていてよく、その上に配置される他のフラップは、たとえば書籍および／またはオフィスのファイルを保管するための保管面として用いることができる。この種の実施態様では、オフィス作業面として用いられるフラップは、有利な態様では、保管面として用いられるフラップよりも大きな幅を有している。
【００１１】
更なる有利な実施態様では、ルームディバイダは、さらに、横ビームに対し横方向に、ベースフレームによって画成されている空間容積部の内部に配置される棚区画および／またはボード要素を有している。ボード要素は特にマグネットボードまたはピンボードとして形成されていてよい。棚区画はたとえば棚凹みを備えていてよい。上記の付加的な構成要素を設けることにより、多機能性がさらに向上する。
【００１２】
更なる有利な実施態様では、ルームディバイダは、さらに、電気導線および／または通信技術導線に対して結合させるための複数の結合装置を備えた接続コンソールを有している。また、有利な態様で組み込み型延長ケーブルを設けてもよい。このようにして、ルームディバイダで多数の電気接続および／または通信技術接続（たとえばＬＡＮ、電話など）を行なうことができる。
【００１３】
更なる有利な実施態様では、ルームディバイダは、背面側に、前面側のフラップに対し合同に同じ大きさで形成されている少なくとも１つの背面フラップと、第１の端部領域でもって縦ビームの背面縦溝内に変位可能に支持され、第２の端部領域でもって背面フラップと結合されている少なくとも１つの背面支持アームとを有している。従って、この有利な実施態様によれば、ルームディバイダは前面側にも背面側にも少なくとも１つのフラップを有している。これにより、ルームディバイダを両側で利用することができる。さらに、フラップが合同に同じ大きさで配置されていることにより、ルームディバイダの前面側の利用者と背面側の利用者との間での交流が可能になる。たとえば、フラップが開いていれば、視線コンタクトを行なうことができる。
【図面の簡単な説明】
【００１４】
本発明を図面のいくつかの実施形態に関してさらに説明する。
【図１】第１実施形態を、フラップが開いた状態で示した斜視図である。
【図２】図１のルームディバイダの側面図である。
【図３】ルームディバイダを、フラップが閉じた状態で示した斜視図である。
【図４】図３のルームディバイダの側面図である。
【図５】図１のルームディバイダの側面図である。
【図６】図５の領域Ｃの拡大図である。
【図７】図３のルームディバイダの断面図である。
【図８】図７の領域Ｂの拡大図である。
【図９】第２実施形態を、フラップが開いた状態で示した斜視図である。
【図１０】図９のルームディバイダの側面図である。
【図１１】図９のルームディバイダの分解図である。
【図１２】複数のルームディバイダを保管位置で示した図である。
【発明を実施するための形態】
【００１５】
個々の図面において、同一の部材または同一の作用を行なう部材には同一の参照符号が付されている。
【００１６】
図１ないし図８は第１実施形態を示している。ルームディバイダ１はベースフレーム２を有している。ベースフレーム２は、横ビーム３と縦ビーム４とから成っている。ルームディバイダ１はさらに２つのフラップ５と６を有している。フラップ５，６はベースフレーム２を横ビーム３に平行に緊張させ、それぞれ回動軸線のまわりに回動可能に支持されている。フラップ５，６のそれぞれはそれぞれ２つの支持アーム７，８によって支持されている。両フラップ５，６はルームディバイダ１の前面側にある。フラップ５はフラップ６よりも小さな幅を有し、フラップ６の上方に配置されている。フラップ５は棚面として形成され、フラップ５はオフィス作業面として形成されている。
【００１７】
支持アーム７，８の第１の端部領域はそれぞれ、縦ビーム４の、縦溝を備えたプロファイル要素９内で、変位可能に支持されている。支持アーム７，８の第２の端部領域は、結合装置１０によってフラップ５または６と結合されている。
【００１８】
フラップ５，６はそれぞれその回動軸線のまわりに回動可能である。この場合、支持アームはプロファイル要素９の縦溝の中を移動し、それぞれのフラップ５，６は閉じた位置または開いた位置のいずれかへもたらされる。図１、図２、図５、図６はフラップ５，６が開いているときのルームディバイダ１を示しており、図３、図４、図７、図８はフラップ５，６が閉じているときのルームディバイダ１を示している。支持アーム７，８がプロファイル要素９の縦溝内を移動可能であることは、特に図６および図８の拡大図から明らかである。
【００１９】
位置固定のブラインド要素１１，１２，１３は、ベースフレーム２を、フラップ５，６によって閉鎖可能でない領域において緊張させている。ベースフレーム２はころ１４上で支持され、その結果ルームディバイダ１を移動させることができる。
【００２０】
照明要素１５はベースフレーム２を横ビーム３に平行に緊張させ、フラップ５とフラップ６との間に位置決めされている。
【００２１】
フラップ６の回動軸線の領域で棚区画１６がベースフレーム２を横ビーム３に平行に緊張させている。棚区画１６は、２つの棚凹み１７と１つの接続コンソール１８とを備えている。接続コンソール１８は、２つのソケット１９と２つのネットワークソケット２０とを有している。ベースフレーム２の側部には、他のソケット１９と他のネットワークソケット２０とが装着されている（図４）。
【００２２】
図９ないし図１１は第２実施形態を示している。ここに図示したルームディバイダ１０１が前記実施形態と異なるのは、特に、ルームディバイダ１０１が前面にも後面にもそれぞれ２つの互いに合同に同じ大きさで形成されたフラップを有している点である。
【００２３】
ルームディバイダ１０１はベースフレーム２を有している。ベースフレーム２は横ビーム３と縦ビーム４とから成る。ルームディバイダ１０１はさらに全部で４つのフラップを有し、すなわち２つのフラップ５と２つのフラップ６とを有している。フラップ５，６はベースフレーム２を横ビーム２に平行に緊張させ、それぞれ回動軸線のまわりに回転可能に支持されている。フラップ５，６のそれぞれはそれぞれ２つの支持アーム７，８によって支持される。それぞれ１つのフラップ５と１つのフラップ６とはルームディバイダ１０１の前面と後面とにある。フラップ５はフラップ６よりも小さな幅を有し、それぞれフラップ６の上方に配置されている。フラップ５は棚面として形成され、フラップ５はオフィス作業面として形成されている。
【００２４】
両フラップ５と両フラップ６とはそれぞれ互いに合同に同じ大きさで形成され、それぞれ１つのフラップ５，６は後面に、他のフラップ５または６は前面に配置されている。
【００２５】
縦ビーム４のプロファイル要素９は、互いに平行に配置されている全部で２つの縦溝を有している。前面のフラップ５，６に付設されている支持アーム７，８は第１の縦溝内で変位可能に支持され、鋼面のフラップ５，６に付設されている支持アーム７，８は第２の縦溝内で変位可能に支持されている。
【００２６】
図１２は保管位置での複数のルームディバイダ１を示している。図１２に図示した各ルームディバイダ１はベースフレーム２を有している。ベースフレームにはフラップ５，６、ブラインド要素１１，１２，１３、ころ１４、照明要素１５が装着されている。各ルームディバイダの移動台（特にころ１４と張出し足とを含んでいる）は、複数のルームディバイダを足幅だけずれて互い違いに配置できるように、すなわち密接して立てかけることができるように構成されている。換言すれば、複数のルームディバイダ１は互いにはまり込むように設置できる。これによって省スペースな保管または格納が可能になる。
【符号の説明】
【００２７】
１，１０１      ルームディバイダ
２              ベースフレーム
３              横ビーム
４              縦ビーム
５，６          フラップ
７，８          支持アーム
９              プロファイル要素
１０            結合装置
１１，１２，１３      ブラインド要素
１４            ころ
１５            照明要素
１６            棚区画
１７            棚凹み
１８            接続コンソール
１９            ソケット
２０            ネットワークソケット
【図１】
2015522112.tif 000003
【図２】
2015522112.tif 000004
【図３】
2015522112.tif 000005
【図４】
2015522112.tif 000006
【図５】
2015522112.tif 000007
【図６】
2015522112.tif 000008
【図７−８】
2015522112.tif 000009
【図９】
2015522112.tif 000010
【図１０】
2015522112.tif 000011
【図１１】
2015522112.tif 000012
【国際調査報告】
2015522112.tif 000013
2015522112.tif 000014
2015522112.tif 000015
2015522112.tif 000016